(57)【要約】【課題】壁内に配される柱又は横架材に固定するだけで、クローゼット外の壁面とクローゼットの開口部の内壁面との間の隅部を適切に形成させることができる下地部材の提供。【解決手段】クローゼット外１０２の壁面１０４ａとクローゼット内１０３の壁面１０４ｂとの間に亘るクローゼットの開口部１００の内壁面１００ａを形成する下地部材Ｍである。壁１０４内に配される柱１０４ｃ又は横架材１０４ｄに固定されるベース材１に対し、幅方向の断面を略Ｌ字状とするクロス用下地材２を、このクロス用下地材２の出隅部２ａが前記クローゼット外１０２の壁面１０４ａとクローゼットの開口部１００の内壁面１００ａとの間の隅部１０１となるように固着させてなる。【選択図】図２
2011111862.tif 000002
【特許請求の範囲】
【請求項１】
クローゼット外の壁面とクローゼット内の壁面との間に亘るクローゼットの開口部の内壁面を形成する下地部材であって、
壁内に配される柱又は横架材に固定されるベース材に対し、幅方向の断面を略Ｌ字状とするクロス用下地材を、このクロス用下地材の出隅部が前記クローゼット外の壁面とクローゼットの開口部の内壁面との間の隅部となるように固着させてなることを特徴とする下地部材。
【請求項２】
ベース材における柱又は横架材側に向けられる側面とクローゼット外に向けられる側面との間の隅部と、クロス用下地材におけるクローゼット外に位置される端部とが前後に重なり合わないようにして、ベース材にクロス用下地材を固着させてなることを特徴とする請求項１に記載の下地部材。
【請求項３】
クロス用下地材を、外面を単一のボード原紙により被覆させた石膏ボードにより構成してなることを特徴とする請求項１に記載の下地部材。
【発明の詳細な説明】
【技術分野】
【０００１】
この発明は、クローゼットの開口部の内壁面を形成する下地部材に関する。
【背景技術】
【０００２】
クローゼットの開口部１００の内壁面１００ａは、一般に、壁１０４内に配される柱１０４ｃとの間に調整材を介して石膏ボードｂを張り込むことで構成される。クローゼット外１０２の壁面１０４ａも石膏ボードｂ’により構成される。そして、これらの外面にはクロス１０４ｈが貼り込まれる。ここで、クローゼット外１０２の壁面１０４ａとクローゼットの開口部１００の内壁面１００ａとの間は隅部１０１となるため、クローゼットの開口部１００の内壁面１００ａを構成する石膏ボードｂとクローゼット外１０２の壁面１０４ａを構成する石膏ボードｂ’とは別体とされ、突き合わされて前記隅部１０１を形成することとなる。しかるに、施工現場においてかかる石膏ボードｂ、ｂ’の突き合わせを段差を生じさせることなくなすことは必ずしも容易でない。こうした段差が生じた場合、この段差にパテＰを埋め込む作業が余儀なくされる。（図７）こうしたことから、前記隅部１０１を形成するコーナー部材Ｃ（コーナービートなどと称される。）をクロス１０４ｈの貼り込みに先立って取り付けておく手法もとられる。（図８）しかるに、クローゼットの開口部１００には折戸などの戸１０５が備え付けられ、したがって開口部１００の内壁面１００ａには戸枠１０５ａが固定されることから、開口部１００の内壁面１００ａにはクロス１０４ｈの貼り込み代が大きく確保できないところ、こうしたコーナー部材Ｃを用いるとこの貼り込み代（図８において符号Ｓで示す箇所）をさらに減少させてしまう。コーナー部材Ｃは合成樹脂や金属製とされることから、石膏ボードｂ、ｂ’と同じように強固にクロス１０４ｈは貼り込み難いからである。
【発明の概要】
【発明が解決しようとする課題】
【０００３】
この発明が解決しようとする主たる問題点は、壁内に配される柱又は横架材に固定するだけで、クローゼット外の壁面とクローゼットの開口部の内壁面との間の隅部を適切に形成させることができる下地部材を提供することにある。
【課題を解決するための手段】
【０００４】
前記課題を達成するために、この発明にあっては、下地部材を、クローゼット外の壁面とクローゼット内の壁面との間に亘るクローゼットの開口部の内壁面を形成する下地部材であって、
壁内に配される柱又は横架材に固定されるベース材に対し、幅方向の断面を略Ｌ字状とするクロス用下地材を、このクロス用下地材の出隅部が前記クローゼット外の壁面とクローゼットの開口部の内壁面との間の隅部となるように固着させてなるものとした。
【０００５】
かかる下地部材によれば、前記柱又は横架材にベース材を固定するだけで、クローゼット外の壁面とクローゼットの開口部の内壁面との間の隅部をクロス用下地材の出隅部をもって現場でのさらなる加工造作を要することなく適切に形成させることができる。したがって、クローゼット外の壁面を仕上げるクロスを前記隅部から開口部の内壁面内に回り込ませてこの開口部の内壁面にも支障なく貼り込ませることができる。クローゼットの開口部には折戸などの戸が備え付けられ、したがって開口部の内壁面には戸枠が固定される。戸枠は下地部材に釘やビスによって止着固定される。このため、開口部の内壁面にはクロスの貼り込み代が大きく確保できないところであるが、かかる下地部材によれば前記隅部を仕上がり良くするための別段の金属や樹脂から構成されるコーナー部材を必要としないため、前記貼り込み代を最大限に確保することができる特長も有する。
【０００６】
かかる下地部材において、ベース材における柱又は横架材側に向けられる側面とクローゼット外に向けられる側面との間の隅部と、クロス用下地材におけるクローゼット外に位置される端部とが前後に重なり合わないようにして、ベース材にクロス用下地材を固着させておくこともある。このようにした場合、下地部材を柱又は横架材側に固定する際に、ベースにおけるクローゼット外に向けられる側面がこの柱や横架材におけるクローゼット外に向けられる側面と同面上になるように位置づけ易い。
【０００７】
また、前記クロス用下地材を、外面を単一のボード原紙により被覆させた石膏ボードにより構成しておけば、クローゼット外の壁面から前記隅部を経て開口部の内壁面に至る箇所までを同質のクロスを同一の接着手法をもって都合良く仕上げることができる。
【発明の効果】
【０００８】
この発明にかかる下地部材は、所定の長さにカットした上で、壁内に配される柱又は横架材に対しこれよりも開口部側において固定するだけで、クローゼット外の壁面とクローゼットの開口部の内壁面との間の隅部を適切に形成させる。
【図面の簡単な説明】
【０００９】
【図１】図１はクローゼットの開口部の正面構成図である。
【図２】図２は図１におけるＡ−Ａ線位置での断面構成図である。
【図３】図３は図１におけるＢ−Ｂ線位置での断面構成図である。
【図４】図４は下地部材の斜視構成図である。
【図５】図５は下地部材を構成するクロス用下地材の他の構成例を示した断面構成図であり、ａ図はｂ図のクロス用下地材とする直前のその展開状態を示している。
【図６】図６は下地部材を構成するクロス用下地材のさらに他の構成例を示した断面構成図であり、ａ図はｂ図のクロス用下地材とする直前のその展開状態を示している。
【図７】図７は従来の手法を示した横断面構成図である。
【図８】図８は従来の手法を示した横断面構成図である。
【発明を実施するための形態】
【００１０】
以下、図１〜図６に基づいて、この発明の典型的な実施の形態について説明する。この実施の形態にかかる下地部材Ｍは、クローゼットの開口部１００の内壁面１００ａを形成するものである。より具体的には、かかる下地部材Ｍは、クローゼット外１０２（表側、室内側）の壁面１０４ａとクローゼット内１０３（収納側）の壁面１０４ｂとの間に亘るクローゼットの開口部１００の内壁面１００ａを形成するものである。
【００１１】
かかる下地部材Ｍは、ベース材１と、クロス用下地材２とから構成されている。ベース材１は、クローゼット外１０２とクローゼット内１０３とを区分する壁１０４内に配される柱１０４ｃ（図２）あるいは横架材１０４ｄ（図３）におけるかかる壁１０４の厚さ方向ｘの寸法と等しい幅寸法を持った長尺材である。かかるベース材１は、典型的には木材や木質材により構成される。図示の例ではかかるベース材１は、壁１０４の面方向ｙ（壁の厚さ方向ｘに直交する向きの方向）の寸法を比較的小さくした板状をなすように構成されている。すなわち、かかるベース材１は長さと幅と厚さを備えている。
【００１２】
クロス用下地材２は、かかるベース材１の幅方向にある一面をその長さ方向に亘って覆い、かつ、この一面に隣り合う厚さ側の端面の一部をその長さ方向に亘って覆うように、ベース材１に固着されている。すなわち、クロス用下地材２はその幅方向の断面を略Ｌ字状としている。かかるクロス用下地材２は、その外面にクロス１０４ｈ（壁クロス、壁紙などとも称される。）を貼り込み可能に構成されている。かかるクロス用下地材２として、図示の例では石膏ボード３を利用している。かかるクロス用下地材２としてはクロス１０４ｈの貼り込みを可能とする下地合板を用いることもできる。かかるクロス用下地材２は、前記壁１０４を構成する板状下地材１０４ｅの厚さと等しい厚さを備えるように構成される。
【００１３】
図示の例では、ベース材１と同じ長さを持った二枚の石膏ボード３、３における厚さ方向にある端面の一方をそれぞれ、この石膏ボード３の表面３ｂに対し略４５度の角度をもって交叉する仮想の直線に沿うように形成された傾斜状突き合わせ面３ａとし、かかる二枚の石膏ボード３をこの突き合わせ面３ａを突き合わせて組み合わせることにより、前記幅方向の断面を略Ｌ字状とするクロス用下地材２を構成させている。
【００１４】
より具体的には、図示の例では、単一のボード原紙４の一面に前記二枚の石膏ボード３の表面３ｂをそれぞれ突き合わせ面３ａの側が互いに隣り合うようにして接着させた状態から、両石膏ボード３、３の間においてかかるボード原紙４に折りを生じさせながら二枚の石膏ボード３の突き合わせ面３ａを突き合わせ、この突き合わせ面３ａ同士を接着させることで、クロス用下地材２を構成させている。
【００１５】
図５に示されるように、石膏ボード３の突き合わせ面３ａと表面３ｂとにより形成される鋭角端部を石膏ボード３の厚さ方向に略平行にやや切断するようにしておけば、前記のように突き合わされる二枚の石膏ボード３により形成される出隅部２ａに接着剤が溜まる隙間５を形成させることができ、この出隅部２ａを硬化した接着剤により都合良く補強することができる。
【００１６】
また、図６に示されるように、幅方向の断面を直角二等辺三角形状とする隅材６を二枚の石膏ボード３、３の間においてこの隅材６の底辺６ａ側の面をボード原紙４に接着するようにして配し、二枚の石膏ボード３、３の突き合わせ面３ａをそれぞれこの隅材６の斜辺６ｂ側の面に突き合わせるようにして幅方向の断面を略Ｌ字状とするクロス用下地材２を構成しておくこともできる。この場合、石膏ボード３の突き合わせ面３ａは前記のように傾斜させる必要はない。このようにした場合、二枚の石膏ボード３、３により形成される出隅部２ａは面取り状に構成され、貼り込まれるクロス１０４ｈがこの出隅部２ａにおいて破断などし難くなる。
【００１７】
図示の例では、クロス用下地材２とベース材１とを接着により固着させている。そして、このように固着されるクロス用下地材２の出隅部２ａが前記クローゼット外１０２の壁面１０４ａとクローゼットの開口部１００の内壁面１００ａとの間の隅部１０１となるようにしてある。
【００１８】
具体的には、下地部材Ｍは、クローゼットの開口部１００の側部を構成する場合にはこの開口部１００の上下方向の寸法に合わせてカットされ、また、クローゼットの開口部１００の上部を構成する場合にはこの開口部１００の左右方向の寸法に合わせてカットされて用いられる。そして、前者の場合、下地部材Ｍはパッキン材１０４ｆ（調整材）を介して壁１０４内に配される柱１０４ｃに止着固定され、（図２）後者の場合、下地部材Ｍはパッキン材１０４ｆを介して壁１０４内に配される横架材１０４ｄに止着固定される。（図３）図示の例では、クロス用下地材２におけるベース材１の幅方向にある一面を覆う箇所における石膏ボード３にはビスなどの軸状止着具１０４ｇの通し孔３ｃが適宜の位置に複数形成されており、この通し孔３ｃを利用してベース材１を通じて柱１０４ｃ又は横架材１０４ｄに軸状止着具１０４ｇを打ち込むことで石膏ボード３に割れなどを生じさせることなく前記固定ができるようになっている。このように下地部材Ｍを固定した後に、クローゼット外１０２の壁面１０４ａを構成する板状下地材１０４ｅの貼り込みを完了するようにする。
【００１９】
かかる下地部材Ｍによれば、前記柱１０４ｃ又は横架材１０４ｄにベース材１を固定するだけで、クローゼット外１０２の壁面とクローゼットの開口部１００の内壁面１００ａとの間の隅部１０１をクロス用下地材２の出隅部２ａをもって現場でのさらなる加工造作を要することなく適切に形成させることができる。したがって、クローゼット外１０２の壁面１０４ａを仕上げるクロス１０４ｈを前記隅部１０１から開口部１００の内壁面１００ａ内に回り込ませてこの開口部１００の内壁面１００ａにも支障なく貼り込ませることができる。クローゼットの開口部１００には折戸などの戸１０５ａが備え付けられ、したがって開口部１００の内壁面１００ａには戸枠１０５ａが固定される。戸枠１０５ａは下地部材Ｍに釘やビスによって止着固定される。このため、開口部１００の内壁面１００ａにはクロス１０４ｈの貼り込み代が大きく確保できないところであるが、かかる下地部材Ｍによれば前記隅部１０１を仕上がり良くするための別段の金属や樹脂から構成されるコーナー部材を必要としないため、前記貼り込み代を最大限に確保することができる特長も有する。
【００２０】
また、この実施の形態にあっては、前記ベース材１における柱１０４ｃ又は横架材１０４ｄ側に向けられる側面１ａ（図示の例では幅方向にある二つの面のうちクロス用下地材２の貼り込まれていない側の面）とクローゼット外１０２に向けられる側面１ｂ（図示の例では厚さ方向にある二つの面のうちクロス用下地材２の貼り込み側の面）との間の隅部１ｃと、クロス用下地材２におけるクローゼット外１０２に位置される端部２ｂとが前後に重なり合わないようにして、ベース材１にクロス用下地材２を固着させている。図示の例では、前者の隅部１ｃよりも後者の端部２ｂの方が前記隅部１０１に近く、この端部２ｂと隅部１ｃとの間にクローゼット外１０２において段部７が形成されるようになっている。これにより、この実施の形態にあっては、下地部材Ｍを柱１０４ｃ又は横架材１０４ｄ側に固定する際に、ベースにおけるクローゼット外１０２に向けられる側面１ｂがこの柱１０４ｃや横架材１０４ｄにおけるクローゼット外１０２に向けられる側面と同面上になるように位置づけ易い。これらの間に段差ができるなどした場合、下地部材Ｍの固定後のクローゼット外１０２の壁面１０４ａを構成する板状下地材１０４ｅの貼り込みに支障を生じさせることとなるが、この実施の形態にかかる下地部材Ｍによればこのような事態を生じさせることがない。
【００２１】
また、この実施の形態では、前記クロス用下地材２を、クローゼット外１０２の壁面１０４ａを構成する板状下地材１０４ｅと同様に、外面を単一のボード原紙４により被覆させた石膏ボード３により構成してなることから、クローゼット外１０２の壁面１０４ａから前記隅部１０１を経て開口部１００の内壁面１００ａに至る箇所までを同質のクロス１０４ｈを同一の接着手法をもって都合良く仕上げることができる。また、かかるクロス用下地材２は、ベース材１に固着されていることから、石膏ボード３製のクロス用下地材２は破損し難く、その運搬や保管の便宜性が高い特長を有している。
【符号の説明】
【００２２】
Ｍ  下地部材
１  ベース材
２  クロス用下地材
２ａ  出隅部
１００  開口部
１００ａ  内壁面
１０１  隅部
１０２  クローゼット外
１０３  クローゼット内
１０４  壁
１０４ａ  壁面
１０４ｂ  壁面
１０４ｃ  柱
１０４ｄ  横架材
【図１】
2011111862.tif 000003
【図２】
2011111862.tif 000004
【図３】
2011111862.tif 000005
【図４】
2011111862.tif 000006
【図５】
2011111862.tif 000007
【図６】
2011111862.tif 000008
【図７】
2011111862.tif 000009
【図８】
2011111862.tif 000010